(57)【要約】【課題】拡径状態の弾性脚部の横ずれ（周方向のずれ）を防止して、被取付け部材をより確実に固定できるようにしたツーピースクリップを提供する。【解決手段】このクリップ１０は、環状のフランジ２１から複数に分割されて伸びる弾性脚部２２を有するグロメット２０と、上記フランジ２１の中心孔２７を通して上記弾性脚部２２の間に挿入されることによって該弾性脚部２２を拡径させる軸部５２を有するピン５０とから構成される。そして、軸部５２を挿入して弾性脚部２２を拡径させたとき、軸部５２上の上記弾性脚部２２の先端が当接する部分の両側にリブ６０が形成されており、弾性脚部２２の内側面には、上記リブ６０の挿入を可能とするための軸方向に沿ったガイド溝２５が形成されている。弾性脚部２２の先端が上記リブ６０の凹部６１に嵌合することにより、拡径状態での横ずれが防止される。【選択図】　図１
2004019670.tif 000002
【特許請求の範囲】
【請求項１】
環状のフランジから複数に分割されて伸びる弾性脚部を有するグロメットと、前記フランジの中心孔を通して前記弾性脚部の間に挿入されることによって該弾性脚部を拡径させる軸部を有するピンとを備えたツーピースクリップにおいて、前記軸部を挿入して前記弾性脚部を拡径させた状態で、前記軸部上の、前記弾性脚部の先端が当接する部分の両側に、リブが形成されていることを特徴とするツーピースクリップ。
【請求項２】
前記弾性脚部の先端が、内径方向に張り出して尖った形状をなす請求項１記載のツーピースクリップ。
【請求項３】
前記弾性脚部の内側面には、軸方向に沿ったガイド溝が形成されている請求項１又は２記載のツーピースクリップ。
【請求項４】
前記リブは、前記軸部の先端方向が閉塞されたコ字状をなしている請求項１〜３のいずれか１つに記載のツーピースクリップ。
【発明の詳細な説明】
【０００１】
【発明の属する技術分野】
本発明は、グロメットとピンとで構成され、例えば２枚のパネル等を相互に連結するのに用いられるツーピースクリップに関する。
【０００２】
【従来の技術】
一般にツーピースクリップは、環状のフランジから複数に分割されて伸びる弾性脚部を有するグロメットと、前記フランジの中心孔を通して前記弾性脚部の間に挿入されることによって該弾性脚部を拡径させる軸部を有するピンとで構成されている。
【０００３】
ツーピースクリップは、例えば自動車部品の固定など、各種の分野で幅広く使用されている。例えば連結すべき一対のパネルをそれらの取付け孔が整合するように重ね合わせ、予めグロメットに脚部が開かない程度にピンを挿入しておき、その状態でグロメットの脚部を上記整合した取付け孔に挿入して、グロメットのフランジを前記パネルの一方に当接させ、その状態でピンを押込むと、グロメットの脚部がピンの軸部によって押し広げられて、１対のパネルがグロメットのフランジと脚部とで挟み込まれて連結されるようになっている。
【０００４】
しかしながら、このツーピースクリップにおいては、例えば連結すべき一対のパネルの一方が長孔を有するような場合に、拡径された弾性脚部の先端部が横ずれして弾性脚部どうしが特定の方向に片寄ると、上記長孔から抜けてしまう可能性があった。
【０００５】
このため、特開平１０−２５２７２６号には、上記ツーピースクリップにおいて、弾性脚部の基部中央にスリットを設け、ピンの軸部の基部には、上記スリットに挿入されるリブを設け、ピンの軸部をグロメットの弾性脚部の間に挿入すると、上記リブが上記スリットに挿入されて、弾性脚部の横ずれが防止されるようにしたものが開示されている。
【０００６】
【発明が解決しようとする課題】
しかしながら、上記特開平１０−２５２７２６号に記載された方法では、グロメットの弾性脚部が拡開されたとき、弾性脚部が開いてしまうため、上記リブがスリットに十分に挿入されず、係合力が十分に得られない可能性があった。
【０００７】
また、ツーピースクリップにおいては、弾性脚部の基部に形成されたスリットに上記リブが挿入されて係合しても、最も大きな荷重がかかる弾性脚部の先端部は、基部側の上記係合部から離れているので、横ずれを十分に防止できないという可能性があった。
【０００８】
したがって、本発明の目的は、拡径状態の弾性脚部の横ずれ（周方向のずれ）を防止して、被取付け部材をより確実に固定できるようにしたツーピースクリップを提供することにある。
【０００９】
【課題を解決するための手段】
上記目的を達成するために、本発明の第１は、環状のフランジから複数に分割されて伸びる弾性脚部を有するグロメットと、前記フランジの中心孔を通して前記弾性脚部の間に挿入されることによって該弾性脚部を拡径させる軸部を有するピンとを備えたツーピースクリップにおいて、前記軸部を挿入して前記弾性脚部を拡径させた状態で、前記軸部上の、前記弾性脚部の先端が当接する部分の両側に、リブが形成されていることを特徴とするツーピースクリップを提供するものである。
【００１０】
上記発明によれば、連結すべき一対の被取付け部材をそれらの取付け孔が重なり合うように配置した後、グロメットにピンの軸部を途中まで挿入して仮組みした状態で、グロメットの弾性脚部を取付け孔に挿入し、ピンの頭部を指等で押して軸部をグロメットの弾性脚部の間に挿入すると、弾性脚部が拡径してクリップ挿入側とは反対の被取付け部材の取付け孔周縁に係合する。
【００１１】
そして、弾性脚部が拡径したとき、弾性脚部の先端は、軸部上の上記リブの間に嵌合する。このため、弾性脚部の先端部が上記リブの間に保持されるため、弾性脚部が横ずれすることがなく、被取付け部材の取付け孔が長孔であった場合でも、又は軸方向（被取付け面に対して垂直方向）からずれた力が作用してもグロメットの弾性脚部が抜けてしまう虞れがなくなる。また、弾性脚部が常に均等に開いた状態となるので、抜け止め力を向上させることができる。
【００１２】
本発明の第２は、上記第１の発明において、前記弾性脚部の先端が、内径方向に張り出して尖った形状をなすツーピースクリップを提供するものである。
【００１３】
上記発明によれば、弾性脚部の先端が、内径方向に張り出して尖った形状をなすため、弾性脚部の間に軸部を挿入して弾性脚部を拡開させたとき、弾性脚部がより大きく開き、被取付け部材の結合力を高めることができる。
【００１４】
本発明の第３は、上記第１又は第２の発明において、前記弾性脚部の内側面には、軸方向に沿ったガイド溝が形成されているツーピースクリップを提供するものである。
【００１５】
上記発明によれば、弾性脚部の内側面にガイド溝を設けたことにより、リブを設けた軸部をグロメットに挿入しやすくなると共に、弾性脚部の柔軟性を高めることができる。
【００１６】
本発明の第４は、上記第１〜３の発明のいずれかにおいて、前記リブは、前記軸部の先端方向が閉塞されたコ字状をなしているツーピースクリップを提供するものである。
【００１７】
上記発明によれば、弾性脚部の間に軸部を挿入して弾性脚部を拡開させたとき、弾性脚部の先端がコ字状のリブの内側に嵌合するので、弾性脚部の先端をより強固に固定することができる。
【００１８】
【発明の実施の形態】
以下、図１〜６に基づいて、本発明の一実施形態を説明する。
【００１９】
図１に示すように、このツーピースクリップ１０は、グロメット２０と、ピン５０とで構成されている。
【００２０】
図３、４を併せて参照すると、グロメット２０は、中心に孔２７を有する環状のフランジ２１と、このフランジ２１の片面の内周縁から、ほぼ垂直に伸びる４つの弾性脚部２２とを備えている。
【００２１】
フランジ２１の、ピン５０の挿入側の面には、周方向に３つの突部２３が形成されており、突部２３と突部２３との間は、ピン５０の頭部５１が突部２３に当接したときに、マイナスドライバの先端等を挿入できる隙間を形成する。
【００２２】
弾性脚部２２は、フランジ２１の内周に沿って、９０度ずつずれた角度で配置されており、各弾性脚部２２の間にスリット状の隙間２４が設けられている。また、各弾性脚部２２の内側面の中央には、軸方向に沿ったガイド溝２５が形成されている。
【００２３】
弾性脚部２２の先端部外周は、次第に縮径するテーパ壁２８をなし、後述する取付け孔に挿入しやすくしている。また、弾性脚部２２の先端２９は、内方に突出して尖った形状をなしている。ここで尖った形状とは、必ずしも明確な角を有する形状に限定されるものではなく、弾性脚部２２の先端２９が実質的に点又は線接触するような形状を意味している。
【００２４】
この実施形態では、弾性脚部２２の先端２９は、軸方向に沿って見たときには実質的に尖った形状（角を有する形状）をなし、軸方向と直交する方向から見たときには、所定の幅で接触する形状をなし、全体として所定の長さで線接触するような形状とされている。
【００２５】
図２、４を併せて参照すると、ピン５０は、円板状の頭部５１と、この頭部５１の片面の中央部からほぼ垂直に伸びる軸部５２とを有している。軸部５２の先端部には、２つの環状突部５３、５４が軸方向に所定間隔をおいて形成されている。そのうちの先端側にある環状突部５３より先端側は、先細テーパー状の先端５５をなしている。
【００２６】
また、環状突部５３、５４の間には、軸方向に伸びる４つの隔壁５６と、それらの間に形成された凹部５７とが設けられている。なお、凹部５７内は、軸部５２から縮径しながら伸びて上記環状突部５３に連結されたテーパ状壁部５８をなしている。
【００２７】
環状突部５４より基部側は、先端方向に向けて緩やかに拡径する逆テーパ状の周面５９をなし、環状突部５４から上記周面５９に向けて短く伸びる一対ずつ合計４組のリブ６０が形成されている。これらのリブ６０は、上記隔壁５６どうしの周方向におけるほぼ中間に位置するように配置されている。
【００２８】
各リブ６０はその先端側端部が上記環状突部５４に連結され、他端は比較的短く切れていて、一対のリブ６０の基部側は前記弾性脚部２２の先端２９を受け入れるように開口した状態となっている。すなわち、一対のリブ６０は、その先端側端部が上記環状突部５４に連結されてコ字状をなし、その内側に凹部６１を有する形状とされている。
【００２９】
なお、一対のリブ６０は、前記グロメット２０の弾性脚部２２の内面側に形成されたガイド溝２５に挿入されるように配置されている。
【００３０】
軸部５２の上記逆テーパ状の周面５９より基部側はほぼ円筒状をなし、その周面に軸方向に沿ったガイドリブ６２が、周方向に等間隔で合計４本形成されている。これらのガイドリブ６２は、前記グロメット２０の弾性脚部２２どうしの隙間２４に挿入されるように配置されている。
【００３１】
次に、図５、６を併せて参照しながら、このツーピースクリップの作用について説明する。
【００３２】
図１、５に示すように、ピン５０の軸部５２をグロメット２０の孔２７にフランジ２１の突部２３側から挿入する。このとき、ピン５０の軸部５２のガイドリブ６２を、グロメット２０の弾性脚部２２の隙間２４に挿入し、上記軸部５２のリブ６０は、上記弾性脚部２２の内側面のガイド溝２５に挿入する。
【００３３】
そして、ピン５０の軸部５２をグロメット２０の弾性脚部２２の間に挿入していくと、軸部５２の先端５５近傍のテーパ状壁部が弾性脚部２２の先端２９に当接し、弾性脚部２２を押し広げて侵入していく。そして、弾性脚部２２の先端２９が環状突部５３を乗越えると、凹部５７に嵌合して、仮組み状態となる。
【００３４】
この仮組み状態では、弾性脚部２２の先端２９が凹部５７に嵌合しているので、弾性脚部２２は開いておらず、初期状態と同じ外径をなしている。また、ピン５０の頭部５１は、グロメット２０のフランジ２１から所定距離だけ離れて、弾性脚部２２とは反対側にやや突出した状態となっている。
【００３５】
このツーピースクリップ１０を用いて、例えば一対のパネル７０、８０を連結しようとする場合には、まず、パネル７０、８０をそれらの取付け孔７１、８１を整合させて互いに重ね合わされる。
【００３６】
そして、上記仮組み状態のツーピースクリップ１０を、上記取付け孔７１、８１に挿入する。このとき、グロメット２０の弾性脚部２２の先端２９は、ピン５０の軸部５２の凹部５７に嵌合しているので、軸部５２のテーパ状の先端５５によって案内されながら、弾性脚部２２及び軸部５２が取付け孔７１、８１に挿入される。こうして、グロメット２０のフランジ２１を一方のパネル７０の取付け孔７１の開口縁部に当接させる。
【００３７】
この状態で、図５における頭部５１を指等で強く押し込むことにより、弾性脚部２２の先端２９がテーパ状壁部５８を摺動して次第に開かれ、環状突部５４を乗越えると、環状突部５４から軸方向基部側に延出して設けられた一対のリブ６０の間に形成された凹部６１に嵌合する。このとき、リブ６０が弾性脚部２２の内面側に形成されたガイド溝２５を通って移動するので、弾性脚部２２の先端２９が凹部６１に確実に導入される。
【００３８】
その結果、図６に示すように、グロメット２０の弾性脚部２２がカニ足のように最大限に開き、パネル８０の取付け孔８１の開口部周縁に強く係合する。その結果、パネル７０、８０は、グロメット２０のフランジ２１と、上記弾性脚部２２の拡径部との間に挟まれて強固に連結される。
【００３９】
このとき、弾性脚部２２の先端２９は、内径方向に張り出して、しかも軸方向に沿って見たとき、尖った形状をなしているので、弾性脚部２２をより効果的に開かせることができる。
【００４０】
そして、弾性脚部２２の先端がリブ６０の内側の凹部６１に嵌合するので、弾性脚部２２が周方向に横ずれすることはなく、４つの弾性脚部２２が周方向に常に等間隔で配置されて、均等に拡径した状態を維持される。その結果、パネル７０、８０の取付け孔７１、８１の少なくとも一方が長孔である場合であっても、又は軸方向とは異なる方向に引き抜き力が作用しても、弾性脚部２２が不用意に抜け出してしまうことを防止できる。
【００４１】
なお、パネル７０、８０のクリップ１０による連結を解除したい場合は、弾性脚部２２の先端２９の上記凹部６１への嵌合を解除して、弾性脚部２２を凹部５７に嵌入することにより、弾性脚部２２が初期状態と同じ外径に戻るので、取付け孔７１、８１から抜き出すことができる。
【００４２】
【発明の効果】
以上説明したように、本発明によれば、ピンの軸部を挿入して弾性脚部を拡径させたとき、弾性脚部の先端が、軸部上のリブの間に嵌合するので、弾性脚部が周方向に横ずれすることがなく、弾性脚部が常に均等に開いた状態となる。このため、弾性脚部の抜け止め力を向上させることができ、被取付け部材の取付け孔が長孔であったり、軸方向とは異なる方向に引き抜き力が作用した場合でも、グロメットの弾性脚部が抜けてしまう虞れがなくなる。
【図面の簡単な説明】
【図１】本発明によるツーピースクリップの一実施形態を示す分解斜視図である。
【図２】同ツーピースクリップに用いられるピンを示し、（Ａ）は正面図、（Ｂ）は（Ａ）のＢ−Ｂ矢示線に沿った断面図である。
【図３】同ツーピースクリップに用いられるグロメットを示し、（Ａ）は図１のＡ−Ａ矢示線に沿った断面図、（Ｂ）は（Ａ）のＣ−Ｃ矢示線に沿った断面図である。
【図４】同ツーピースクリップを仮組みした状態を示す断面図である。
【図５】同ツーピースクリップを一対のパネルの取付け孔に挿入した状態を示す断面図である。
【図６】同ツーピースクリップの弾性脚部を拡径させて一対のパネルを連結した状態を示し、（Ａ）は断面図、（Ｂ）は（Ａ）のＤ−Ｄ矢示線に沿った断面図である。
【符号の説明】
１０　ツーピースクリップ
２０　グロメット
２１　フランジ
２２　弾性脚部
２４　隙間
２５　ガイド溝
２７　孔
２９　先端
５０　ピン
５１　頭部
５２　軸部
５３、５４　環状の突部
５５　先端
５６　隔壁
５７　凹部
５８　テーパ状壁部
６０　リブ
６１　凹部
７０、８０　パネル
７１、８１　取付け孔
【図１】
2004019670.tif 000003
【図２】
2004019670.tif 000004
【図３】
2004019670.tif 000005
【図４】
2004019670.tif 000006
【図５】
2004019670.tif 000007
【図６】
2004019670.tif 000008